【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
生物適合性流体圧力源と共に使用するための装置であって、
体腔の近位開口を介して挿入されるように構成された細長い担体と、
前記担体の遠位部に連結されて、
担体が体腔に挿入された後に体腔の壁との間に圧力シールを形成し、
流体圧力源からの圧力に応じて、体腔を遠位へ前進するピストンヘッドを含み、
前記装置はピストンヘッドに対して遠位の体腔中の部位から体腔の外への流体の通過を容易にすることによって、ピストンヘッドの遠位への進行を容易にするように構成され、
更に、担体の遠位部の近傍で担体に連結された光システムを含み、前記光システムは遠位端と近位端とを有し、そして
光システムの近位端に位置決めされた映像センサーと、
遠位端と近位端を有し、側面を形成するように形成され、少なくとも遠位部は湾曲して無指向性側方観察を可能にする光部材と、
光部材の遠位端に連結された凸面鏡を含み、前記光部材と凸面鏡は共通の回転軸を中心とする回転形状を有している装置。
【請求項２】
体腔が胃腸(ＧＩ)管を含み、担体がＧＩ管の近位開口を介して挿入されるように構成されている請求項１に記載の装置。
【請求項３】
ＧＩ管が結腸を含み、担体が結腸の近位開口を介して挿入されるように構成されている請求項１に記載の装置。
【請求項４】
ピストンヘッドが、担体がＧＩ管に挿入された後にＧＩ管の壁に直接接触するように構成されている請求項２に記載の装置。
【請求項５】
凸面鏡が、遠位光が通過する開口を形成するように形成されている請求項１〜４のずれか１項に記載の装置。
【請求項６】
光部材が、その遠位端に遠位凹みを形成するように形成されている請求項５に記載の装置。
【請求項７】
光部材が、その近位端に近位凹みを形成するように形成されている請求項５に記載の装置。
【請求項８】
光システムが、凸面鏡の遠位に位置する遠位レンズを含み、前記レンズは共通の回転軸を中心とする回転形状を有している請求項５に記載の装置。
【請求項９】
光システムが、その遠位端を通じて映像センサーに到来する遠位光及び光部材の側面の湾曲した遠位部を通じて映像センサーに到来する側方からの光のための異なった倍率レベルを提供するように構成されている請求項５に記載の装置。
【請求項１０】
ＧＩ管の壁に対して圧力シールを形成するピストンヘッドの外面が、ＧＩ管の壁に対するピストンヘッドの滑りを円滑にするのに適した低摩擦コーティングを含む請求項２に記載の装置。
【請求項１１】
流体源と、
担体に連結されて流体源と流体を介して連通する少なくとも一つの流体供給管を含み、
担体の遠位部は前記管に流体を介して連通する一つ以上の開口を期待するような形状を有し、前記開口は、流体が流体源から供給されると、光部材の少なくとも一部にスプレーするように配向されている請求項２に記載の装置。
【請求項１２】
担体の遠位部の近傍に固定された膨脹要素を含み、前記要素は、光システムの無指向性結像を可能にするために充分に壁から距離を置いて光部材を位置決めするのに充分な程度まで前記近傍において担体の直径を増加させるように構成されている請求項２に記載の装置。
【請求項１３】
通気管を含み、この装置はＧＩ管からの流体の前記通気管の通過を円滑にするように構成されている請求項１〜４、又は１０〜１２のいずれか１項に記載の装置。
【請求項１４】
通気管はＧＩ管からの流体の通過を受動的に可能にするように構成されている請求項１３に記載の装置。
【請求項１５】
通気管が吸引源に連結されるように構成され、それによってＧＩ管からの流体の通過を能動的に促進する請求項１３に記載の装置。
【請求項１６】
ピストンヘッドが膨脹するように構成され、ＧＩ管の壁に対して圧力シールを形成し、維持する請求項一〜４又は１０〜１２のいずれか１項に記載の装置。
【請求項１７】
ＧＩ管の中にあるときに、ピストンヘッドが間欠的に少なくとも部分的に収縮し、これによってＧＩ管からの流体をピストンヘッドの遠位ＧＩ管内の部位から排出することを促進する請求項１６に記載の装置。
【請求項１８】
ピストンヘッドが近位葉形部と遠位葉形部を形成するように形成され、これらの葉形部は相互に流体を介して連通する請求項１６に記載の装置。
【請求項１９】
ピストンヘッド内の圧力を検出するように構成されたピストンヘッド圧力センサーを含む請求項１６に記載の装置。
【請求項２０】
ピストンヘッド圧力センサーが、ピストンヘッドの内部に設置されるように構成されている請求項１９に記載の装置。
【請求項２１】
ピストンヘッド圧力センサーがＧＩ管の近位開口の近傍に設置されるように構成されている請求項１９に記載の装置。
【請求項２２】
ピストンヘッド圧力センサーがＧＩ管の外に設置されるように構成されている請求項２１に記載の措置。
【請求項２３】
生物適合性流体圧力源に対して使用するための装置であって、
体腔の近位開口を介して挿入されるように構成された細長い担体と、
前記担体の遠位部に連結された膨脹可能なピストンヘッドであって、相互に流体を介して連通する近位葉形部と遠位葉形部を形成するように形成されたピストンヘッドを含み、前記ピストンヘッドは
担体が体腔に挿入された後、体腔の壁に対して圧力シールを形成するように膨脹し、
流体源からの圧力に応じて体腔を通じて遠位へ進行するように構成されている装置。
【請求項２４】
体腔が胃腸（ＧＩ）管の近位開口を介して挿入されるように構成されている請求項２３に記載の装置。
【請求項２５】
ＧＩ管が結腸を含み、担体が結腸の近位開口を介して挿入されるように構成されている請求項２４に記載の装置。
【請求項２６】
ピストンヘッドが、担体がＧＩ管に挿入された後に、ＧＩ管の壁に直接接触するように構成されている請求項２４に記載の装置。
【請求項２７】
前記第一葉形部の体積が、これに隣接するＧＩ管の収縮に応じて減少するように構成され、
第二葉形部の体積が、これに隣接するＧＩ管の直径に変化が無い場合には、第一葉形部の体積が減少しても、一定に維持されるように構成され、
第一葉形部の体積の減少に無関係に、第一及び第二葉形部の内圧が定常状態において一定である請求項２４に記載の装置。
【請求項２８】
遠位葉形部が、ＧＩ管の直径に実質的に等しい直径を有している請求項２４に記載の装置。
【請求項２９】
遠位葉形部が３〜５ｃｍの長さを有する請求項２４に記載の装置。
【請求項３０】
ピストンヘッドが、前記第一及び第二葉形部に加えて、少なくとも一つの葉形部を形成するように形成された請求項２４に記載の装置。
【請求項３１】
ピストンヘッドが、近位葉形部と遠位葉形部とを関節式に結合する中間部を形成するように形成されている請求項２３〜４０のいずれか１項に記載の装置。
【請求項３２】
中間部が、遠位葉形部の直径の１０〜４０％の直径を有する請求項３１に記載の装置。
【請求項３３】
ピストンヘッドの近位葉形部及び遠位葉形部を通過し、ピストンヘッドの遠位ＧＩ管内の部位に開口し、前記部位からの流体の通過を円滑化してピストンヘッドの前進を促進するように構成されている可撓性通気管を含む請求項２３〜３０のいずれか１項に記載の装置。
【請求項３４】
前記部位からの流体の通過を能動的に遠隔化するように構成されている請求項３３に記載の装置。
【請求項３５】
第一葉形部の体積が、これに隣接するＧＩ管の収縮に応じて減少するように構成され、
第二葉形部の体積が、たとえ第一葉形部の体積が減少しても、これに隣接するＧＩ管の直径が変化せずに一定に維持されるように構成され、
第一及び第二葉形部内の圧力が、第一葉形部の体積の減少とは無関係に定常状態で一定である請求項３３に記載の装置。
【請求項３６】
遠位葉形部が、ＧＩ管の直径に実質的に等しい直径を有する請求項３３に記載の装置。
【請求項３７】
遠位葉形部が、３〜５ｃｍの長さを有する請求項３３に記載の装置。
【請求項３８】
ピストンヘッドが、前記第一及び第二葉形部の他に、少なくとも一つの葉形部を形成するような形状をしている請求項３３に記載の装置。
【請求項３９】
ピストンヘッドが、近位葉形部と遠位葉形部とを関節式に結合する中間部を形成するように形成されている請求項３３に記載の装置。
【請求項４０】
中間部が、遠位葉形部の直径の１０〜４０％に等しい直径を有する請求項３９に記載の装置。
【請求項４１】
体腔の近位開口を介して挿入されるように構成された細長い担体と、
前記担体の遠位部に連結され、担体が体腔に挿入された後に体腔の壁に直接接触するように構成されたバルーンと、
前記バルーンの外面に設置された親水性物質を含む装置。
【請求項４２】
体腔が胃腸（ＧＩ）管を含み、担体がＧＩ管の近位開口を介して挿入されるように構成されている請求項４１に記載の装置。
【請求項４３】
ＧＩ管が結腸を含み、担体が結腸の近位開口を介して挿入されるように構成されている請求項４２に記載の装置。
【請求項４４】
バルーンが、近位葉形部と遠位葉形部を形成するように形成され、これらの葉形部は相互に流体を介して連通する請求項４１〜４３のいずれか１項に記載の装置。
【請求項４５】
体腔の近位開口を介して挿入されるように構成された細長い担体と、
担体の遠位部に連結され、担体が体腔に挿入された後に体腔の壁に直接接触するように構成されたバルーンを含む装置であって、体腔の壁に接触するバルーンの外面は、体腔の壁に対するバルーンのすべりを円滑にするに適した低摩擦のコーティングを含む装置。
【請求項４６】
体腔が胃腸（ＧＩ）管を含み、担体がＧＩ管の近位開口を介して挿入されるように構成されている請求項４５に記載の装置。
【請求項４７】
ＧＩ管が結腸を含み、担体が、結腸の近位開口を介して挿入されるように構成されている請求項４６に記載の装置。
【請求項４８】
低摩擦コーティングが潤滑剤を含んでいる請求項４６に記載の装置。
【請求項４９】
バルーンが、近位葉形部と遠位葉形部を形成するように形成され、これらの葉形部は相互に流体を介して連通する請求項４５〜４８のいずれか１項に記載の装置。
【請求項５０】
身体に体腔の近位開口を介して挿入されるように構成された細長い担体と、
前記担体が体腔に挿入された後に、担体の遠位部と直接接触するように構成されたバルーンを含み、前記バルーンは２０ミクロンより大きくない特徴的な厚さを有している装置。
【請求項５１】
体腔が胃腸（ＧＩ）管を含み、担体がＧＩ管の近位開口を介して挿入されるように構成されている請求項５０に記載に装置。
【請求項５２】
ＧＩ管が結腸を含み、担体が結腸の近位開口を介して挿入されるように構成されている請求項５１に記載の装置。
【請求項５３】
バルーンが１０ミクロンより大きくない厚さを有する請求項５１に記載の装置。
【請求項５４】
ＧＩ管の壁に接触するバルーンの外面が、ＧＩ管の壁に対するバルーンのすべりを円滑にするのに適した低摩擦コーティングを含む請求項５１に記載の装置。
【請求項５５】
ＧＩ管の壁に接触するバルーンの外面が、
ＧＩ管の壁に接触するバルーンの外面が、ＧＩ管の壁に対するバルーンのすべりを円滑にするのに適した親水性物質を含む請求項５１に記載の装置。
【請求項５６】
バルーンが、近位葉形部と遠位葉形部を形成するように形成され、前記葉形部は相互に流体を介して連通する請求項５０〜５５のいずれか１項に記載の装置。
【請求項５７】
生物適合性流体圧力源と共に使用するための装置であって、
体腔の近位開口を介して挿入されるように構成された細長い担体と、
前記担体の遠位部に連結されて、
担体が体腔に挿入された後に体腔の壁との間に圧力シールを形成し、
流体圧力源からの圧力に応じて、体腔を通じて近位方向に牽引されるピストンヘッドを含む装置。
【請求項５８】
体腔が胃腸（ＧＩ）管を含み、ピストンヘッドが、担体がＧＩ管に挿入された後にＧＩ管の壁に対して圧力シールを形成するように構成されている請求項５７に記載の装置。
【請求項５９】
ＧＩ管が結腸を含み、ピストンヘッドが、担体が結腸に挿入された後に結腸の壁に対して圧力シールを形成するように構成されている請求項５８に記載の装置。
【請求項６０】
ピストンヘッドが、担体がＧＩ管の挿入された後にＧＩ管の壁に直接接触するように構成されている請求項５８に記載の装置。
【請求項６１】
ＧＩ管に対して圧力シールを形成するピストンヘッドの外面が、ＧＩ管に対するピストンヘッドの滑りを円滑にするのに適した低摩擦コーティングを含む請求項５８に記載の装置。
【請求項６２】
ピストンヘッドが、近位葉形部と遠位葉形部を形成するように形成され、前記葉形部は相互に流体を介して連通する請求項５８に記載の装置。
【請求項６３】
（a）ピストンヘッドの遠位ＧＩ管内の遠位部位と（ｂ）流体圧力源とに流体を介して連通する圧力付与管を含み、前記管は圧力を遠位部位に導入するように構成されている請求項５８に記載の装置。
【請求項６４】
流体源と、
担体の遠位端の近傍で担体に連結された映像捕捉装置と、
流体源に流体を介して連通して担体に連結された少なくとも一つの流体供給管を含み、
担体の遠位端は、前記管に流体を介して連通する一つ以上の開口を形成するように形成され、前記開口は、流体が流体源によって供給されると、映像捕捉装置の少なくとも一部分に対してスプレーを行うように配向されている請求項５８に記載の装置。
【請求項６５】
前記装置が、ピストンヘッドに近位のＧＩ管内の近位部位から、ＧＩ管の外への流体の通過を促進するように構成されている請求項５７〜６４のいずれか１項に記載の装置。
【請求項６６】
ＧＩ管の近位部位とＧＩ管の外とに流体を介して連通する通気管を含み、前記管は近位部位から外部までの流体の通過を促進し、近位部位の圧力を減らすように構成されている請求項６５に記載の装置。
【請求項６７】
通気管は、近位部位からの流体の流れを受動的に可能にするように構成されている請求項６６に記載の装置。
【請求項６８】
通気管に連結され、近位部位からの流体の流れを能動的に促進するように構成された請求項６６に記載の装置。
【請求項６９】
ピストンヘッドが、ＧＩ管の壁に対して圧力シールを形成、維持するように膨脹する構成である請求項５７〜６４のいずれか１項に記載の装置。
【請求項７０】
ピストンヘッド圧力センサーが、ピストンヘッド内の圧力を検出するように構成されている請求項６９に記載の装置。
【請求項７１】
ピストンヘッド圧力センサーが、ピストンヘッド内に設けられるように構成されている請求項７０に記載の装置。
【請求項７２】
ピストンヘッド圧力センサーが、ＧＩ管の近位開口に近くに設けられるように構成されている請求項７０に記載の装置。
【請求項７３】
ピストンヘッド圧力センサーが、ＧＩ管の外部に設けられるように構成されている請求項７２に記載の装置。
【請求項７４】
ピストンヘッドの遠位ＧＩ管内の圧力を検出するように構成された遠位圧力センサーを含む請求項７２に記載の装置。
【請求項７５】
遠位圧力センサーが、ピストンヘッドの遠位に設置されるように構成されている請求項７４に記載の装置。
【請求項７６】
遠位圧力センサーが、ＧＩ管の近位開口の近くに設置されるように構成されている請求項７４に記載の装置。
【請求項７７】
遠位圧力センサーが、ＧＩ管の外部に設置されるように構成されている請求項７６に記載の装置。
【請求項７８】
ピストンヘッドに近位のＧＩ管内の圧力を検出するように構成されている近位部圧力センサーを含む請求項６９に記載の装置。
【請求項７９】
近位部圧力センサーが、ピストンヘッドの近くに設けられるように構成されている請求項７８に記載の装置。
【請求項８０】
近位部圧力センサーが、ＧＩ管の近位開口の近くに設けられるように構成されている請求項７８に記載の装置。
【請求項８１】
近位部圧力センサーが、ＧＩ管の外側に設けられるように構成されている請求項８０に記載の装置。
【請求項８２】
装置の作業の連携する第一圧力を測定するように構成された圧力センサーと、
前記圧力センサーの測定に応じて装置の作業に連携する第二圧力を調整するように構成された制御ユニットを含む請求項６９に記載の装置。
【請求項８３】
圧力センサーが、ピストンヘッドに対して遠位の圧力と、ピストンヘッドに対して近位の圧力と、ピストンヘッドの内部の圧力からなるリストから選ばれた圧力を測定するように構成されている請求項８２に記載の装置。
【請求項８４】
体腔の遠位の開口を介して挿入されるように形成された細長い担体と、
前記担体を挿入する開口を形成するように形成され、近位開口に少なくとも部分的に挿入され、膨脹してバルーンと近位開口の近くの体腔の壁との間に圧力シールを形成する環状バルーンと、
第一及び第二流体圧力源と、
前記第一圧力源とバルーンの内部との間に連結された第一管と、
第二圧力源と環状バルーンの遠位の体腔の内部との環を連結する第二管を含む装置。
【請求項８５】
体腔が結腸を含み、近位開口が直腸を含み、バルーンが、少なくとも部分的に直腸に挿入され、膨脹してバルーンと結腸の壁との間に圧力シールを形成するように構成されている請求項８４に記載の装置。
【請求項８６】
第一及び第二圧力源の少なくとも一方が結腸の外側に位置するように構成されている請求項８５に記載の装置。
【請求項８７】
バルーンに連結されたリングを含み、前記リングは直腸に当接するように構成され、前記リングは担体を挿入する開口を形成するように形成されている請求項８５に記載の装置。
【請求項８８】
第一圧力源が動力付きの流体圧力源である請求項８５に記載の装置。
【請求項８９】
第一圧力源が、手動で作動する流体圧力源である請求項８４〜８８のいずれか１項に記載の装置。
【請求項９０】
手動で作動する圧力源が注射器である請求項８９に記載の装置。
【請求項９１】
体腔の近位開口を介して挿入されるように構成された細長い担体と、
担体を挿入可能な貫通開口を形成するように形成された膨脹可能なカフを含み、前記カフは、近位開口の近くで膨脹状態のときと、体腔の壁に対して圧力シールを形成するように構成されている装置。
【請求項９２】
体腔が結腸を含み、近位開口が直腸を含み、担体が結腸の直腸を介して挿入されるように構成されている請求項９１に記載の装置。
【請求項９３】
流体源と共に使用される装置であって、
体腔の近位開口を介して挿入されるように構成された細長い担体と、
前記担体の遠位端の近くで担体に固定された映像捕捉装置と、
担体に連結された少なくとも一つの流体供給管を含み、前記管は流体源と流体を介して連通し、
担体の遠位端は、前記管と流体を介して連通する一つ以上の開口を形成するように形成され、前記開口は、流体を流体源によって提供されると映像捕捉装置の少なくとも一部にスプレーするように配向されている装置。
【請求項９４】
体腔が結腸を含み、担体が結腸の近位開口を介して挿入されるように構成されている請求項９３に記載の装置。
【請求項９５】
担体の遠位端は、流体源からの流体が通る４〜１０個の開口を形成するように形成されている請求項９４に記載の装置。
【請求項９６】
前記開口が担体の遠位端の周囲に形成されている請求項９４に記載の装置。
【請求項９７】
開口が、流体源によって流体が提供されると映像捕捉装置の周囲に過流を発生させるような円周角度で位置決めされている請求項９４に記載の装置。
【請求項９８】
映像捕捉装置が、無指向性側方観察を可能にするように構成された側面を形成するように形成され、開口が、光部材の側面の少なくとも一部にスプレーするように配向されている請求項９３〜９７のいずれか１項に記載の装置。
【請求項９９】
光部材が、前方の映像を提供するように構成された前面を形成する形状を有し、開口が光部材の前面の少なくとも一部にスプレーするように配向されている請求項９８に記載の装置。
【請求項１００】
近位開口を有する体腔に使用する装置であって、
体腔の近位開口を介して挿入されるように構成された細長い担体と、
前記担体の遠位端の第一近傍に固定され、無指向性側方観察を可能にするように構成された映像捕捉装置と、
遠位端の第二近傍に固定され、映像捕捉装置を体腔の壁から、前記映像捕捉装置の無指向性結像を可能にするのに充分な距離に位置決めするのに充分な程度まで第二近傍における担体の直径を増加させる膨脹要素を含む装置。
【請求項１０１】
体腔が胃腸（ＧＩ）管を含み、担体がＧＩ管の近位開口を介して挿入されるように構成されている請求項１００に記載の装置。
【請求項１０２】
膨脹要素が、映像捕捉装置が前記壁から少なくとも１５ｍｍ離れるように前記第二近傍において担体の直径を増加させるように構成されている請求項１０１に記載の装置。
【請求項１０３】
膨脹要素が膨脹可能なスポンジを含む請求項１０１に記載の装置。
【請求項１０４】
膨脹要素が、膨脹可能なリング及び拡張可能なリングからなるリストから選ばれた一つ以上のリングの組を含んでいる請求項１０１に記載の装置。
【請求項１０５】
膨脹可能な要素が膨脹可能なバルーンである請求項１０１に記載の装置。
【請求項１０６】
ＧＩ管が結腸を含み、担体が前記結腸の近位開口を介して挿入されるように構成されている請求項１００〜１０５のいずれか１項に記載の装置。
【請求項１０７】
膨脹要素が、第二近傍の担体の直径を30〜４５ｍｍまで増加するように構成されている請求項１０６に記載の装置。
【請求項１０８】
近位開口を有する体腔に使用される装置であって、前記装置は
第一及び第二流体圧力源と、
体腔の近位開口を介して挿入されるように構成された細長い担体と、
前記担体の遠位部に連結され、担体が体腔に挿入された後に、体腔の壁に対して圧力シールを形成するように構成された膨脹可能なピストンヘッドと、
第一流体圧力源及びピストンヘッドに近位の体腔の近位部に流体を介して連通する第一通路と、
第二圧力源とピストンヘッドとに流体を介して連通する第二通路と、
体腔の近位部の第一測定可能圧力と、ピストンヘッドの第二測定可能圧力をそれぞれ測定するように構成された第一及び第二圧力センサーと、
前記第一圧力源が第一付与圧力を体腔の近位部に付与している間に、第二圧力源を駆動して第二付与圧力を付与することによって、ピストンヘッドの第二測定可能圧力を体腔の近位部の第一測定可能圧力に正の値を加えた値に等しくなるように調整して、ピストンヘッドを体腔の遠位に進行させるように構成された制御ユニットを含む装置。
【請求項１０９】
体腔が胃腸（ＧＩ）管を含み、担体がＧＩ管の近位開口を介して挿入されるように構成されている請求項１０８に記載の装置。
【請求項１１０】
ＧＩ管が結腸を含み、担体が結腸の近位開口を介して挿入されるように構成されている請求項１０９に記載の装置。
【請求項１１１】
ピストンが、担体がＧＩ管に挿入された後にＧＩ管の壁に直接接触するように構成されている請求項１０９に記載の装置。
【請求項１１２】
ピストンヘッドの遠位ＧＩ管の一部及びＧＩ管の外部と流体を介して連通した第三通路を含む請求項１０９に記載の装置。
【請求項１１３】
第一通路が３〜６ｍｍの直径を有する請求項１０９に記載の装置。
【請求項１１４】
第一圧力センサーがピストンヘッドに近くに設置されるように構成されている請求項１０９に記載の装置。
【請求項１１５】
第一圧力センサーがＧＩ管の近位開口の近くに設置されるように構成されている請求項１０８〜１１４のいずれか１項に記載の装置。
【請求項１１６】
第一圧力センサーがＧＩ管の外側に設置されるように構成されている請求項１１５に記載の装置。
【請求項１１７】
第二圧力センサーがピストンヘッドの中に設置されるように構成されている請求項１０８〜１１４のいずれか１項に記載の装置。
【請求項１１８】
第二圧力センサーがＧＩ管の近位開口の近くに設置されるように構成されている請求項１０８〜１１４のいずれか１項に記載の装置。
【請求項１１９】
第二圧力センサーがＧＩ管の外側に設置されるように構成されている請求項１１８に記載の装置。
【請求項１２０】
前記正の値が１〜５ミリバールである請求項１０８〜１１４のいずれか１項に記載の装置。
【請求項１２１】
正の値が１．５〜２．５ミリバールである請求項１２０に記載の装置。
【請求項１２２】
第二圧力源を駆動して第二付与圧力を付与することによって、第一付与圧力の付与に先立って制御ユニットがピストンヘッドの第二測定可能圧力を初期値に設定するように構成されている請求項１０８〜１１４のいずれか１項に吉舎の装置。
【請求項１２３】
初期値が５〜１５ミリバールであり、制御ユニットが第二測定可能圧力を５〜１５ミリバールに設定するように構成されている請求項１２２に記載の装置。
【請求項１２４】
制御ユニットが第二測定可能圧力を、（a）初期値及び（b）第一測定可能圧力プラス正の値の大きい方に等しく調整するように構成されている請求項１２２に記載の装置。
【請求項１２５】
生物適合性流体圧力源と共に使用するための装置であって、
体腔の近位開口を介して挿入されるように構成された細長い担体と、
前記担体の遠位部に連結され、担体が体腔に挿入された後に体腔の壁に対して圧力シールを形成し、
遠位ピストンヘッドの外面に付与された流体圧力源からの圧力に応じて、体腔を通じて遠位へ前進するピストンヘッドを含む装置。
【請求項１２６】
体腔が胃腸（ＧＩ）管を含み、遠位ピストンヘッドが、担体がＧＩ管に挿入された後に、ＧＩ管の壁に対して圧力シールを形成するように構成されている請求項１２５に記載の装置。
【請求項１２７】
ＧＩ管が結腸を含み、遠位ピストンヘッドが、担体が結腸に挿入された後に、結腸の壁に対して圧力シールを形成するように構成されている請求項１２６に記載の措置。
【請求項１２８】
遠位ピストンヘッドが、担体がＧＩ管に挿入された後にＧＩ管の壁に直接接触するように構成されている請求項１２６に記載の装置。
【請求項１２９】
ＧＩ管の壁に対して圧力シールを形成する遠位ピストンヘッドの外面が、ＧＩ管の壁に対する遠位のピッストンヘッドの滑りを円滑にするのに適した低摩擦コーティングを含む請求項１２６に記載の装置。
【請求項１３０】
流体源と、
担体の遠位部の近傍に連結された光部材と、
担体に連結され、流体源に流体を介して連通する少なくとも一つの流体供給管を含み、
担体の遠位部は前記管と流体を介して連通する一つ以上の開口を形成するように形成され、前記開口は、流体が流体源によって供給されると、光部材の少なくとも一部にスプレーするように配向されている請求項１２６に記載の装置。
【請求項１３１】
無指向性側方観察を提供するように構成された光部材を含む光システムと、
担体の遠位部の近傍に固定され、光部材を壁から、前記光システムの無指向性結像を可能にするのに充分な距離に位置決めするのに充分な程度まで近傍における担体の直径を増加させる膨脹要素を含む請求項１２６に記載の装置。
【請求項１３２】
流体を、遠位ピストンヘッドの遠位ＧＩ管内の遠位部位からＧＩ管の外に円滑に流通させることによって、遠位ピストンヘッドの遠位への進行を促進するように構成された請求項１２５〜１３１のいずれか１項に記載の装置。
【請求項１３３】
遠位部位に１０ミリバールより低い圧力を維持するのに充分な量の流体を遠位部位からＧＩ管の外に円滑に流通させるように、装置が構成されている請求項１３２に記載の装置。
【請求項１３４】
遠位にピストンヘッドを進行させる毎分少なくとも１００ｃｃの流体を遠位部位からＧＩ管の外に円滑に流通させるように、装置が構成されている請求項１３２に記載の装置。
【請求項１３５】
遠位にピストンヘッドを進行させる毎分少なくとも３００ｃｃの流体を遠位部位からＧＩ管の外に円滑に流通させるように、装置が構成されている請求項１３２に記載の装置。
【請求項１３６】
遠位にピストンヘッドを進行させる１ｃｍ当たり少なくとも３ｃｃの流体を遠位部位からＧＩ管の外に円滑に流通させるように、装置が構成されている請求項１３２に記載の遠位部位からＧＩ管の外に円滑に流通させるように、装置が構成されている請求項１３２に記載の装置。
【請求項１３７】
遠位にピストンヘッドを進行させる１ｃｍ当たり少なくとも１０ｃｃの流体を遠位部位からＧＩ管の外に円滑に流通させるように、装置が構成されている請求項１３２に記載の装置。
【請求項１３８】
通気管を含む装置が、流体をＧＩ管内の遠位部位からＧＩ管の外に通気管を通じて円滑に流通させるように、装置が構成されている請求項１３２に記載の装置。
【請求項１３９】
通気管が、１〜３ｍｍの内径を形成するように形成されている請求項１３８に記載の装置。
【請求項１４０】
通気管が、流体をＧＩ管内部の遠位部位からＧＩ管の外に受動的に流通させるように構成されている請求項１３８に記載の装置。
【請求項１４１】
通気管が吸引源に連結され、それによって流体をＧＩ管の内部の遠位部位からＧＩ管の外に能動的に流通させるように構成されている請求項１３８に記載の装置。
【請求項１４２】
通気管が吸引源に連結され、装置が作動する際に遠位ピストンヘッドから遠位の圧力が−５〜＋１５ミリバールである請求項１４１に記載の装置。
【請求項１４３】
通気管に連結され、流体をＧＩ管の内部の遠位部位からＧＩ管の外に能動的に円滑に流通させる用に構成された請求項１３８に記載の装置。
【請求項１４４】
吸引源が遠位ピストンヘッドから遠位の圧力を−５〜＋１５ミリバールに維持するように構成されている請求項１４３に記載の装置。
【請求項１４５】
遠位ピストンヘッドが膨脹して、ＧＩ管の壁に対して圧力シールを形成、維持するように構成され、遠位ピストンヘッドが少なくとも部分的に間欠的に収縮し、それによって流体を遠位ピストンヘッドの遠位ＧＩ管内の部位からＧＩ管の外に円滑に流通させる請求項１３２に記載の装置。
【請求項１４６】
遠位ピストンヘッドが膨脹して、ＧＩ管の壁に対して圧力シールを形成、維持するように構成されている請求項１２５〜１３１のいずれか１項に記載の装置。
【請求項１４７】
遠位ピストンヘッドに近位の位置で担体に連結された補助ピストンヘッドを含み、
前記補助ピストンヘッドは膨脹してＧＩ管の壁に対して補助の圧力シールを形成、維持し、
（a）担体がＧＩ管の中にある間に遠位ピストンヘッドが、少なくとも一回、流体圧力源からの圧力に応じて、補助ピストンヘッドが既に膨脹してＧＩ管を通じて遠位へ前進するのと同時に、遠位ピストンヘッドが少なくとも部分的に収縮した状態になるように構成され、
（b）担体がＧＩ管の中にある間に遠位ピストンヘッドが、少なくとももう一回、流体圧力源からの圧力に応じて、補助ピストンヘッドが既に膨脹してＧＩ管を通じて遠位へ前進するのと同時に、遠位ピストンヘッドが少なくとも部分的に収縮した状態になるように構成されている請求項１４６に記載の装置。
【請求項１４８】
遠位ピストンヘッド内の圧力を検出するように構成されたピストンヘッド圧力センサーを含む請求項１４６に記載の装置。
【請求項１４９】
ピストンヘッドの圧力センサーが、遠位ピストンヘッド内に設置されている請求項１４８に記載の装置。
【請求項１５０】
ピストンヘッドの圧力センサーが、ＧＩ管の近位開口の近くに設置されるように構成されている請求項１４８に記載の装置。
【請求項１５１】
ピストンヘッドの圧力センサーが、ＧＩ管の外部に設置されている請求項１５０に記載の装置。
【請求項１５２】
遠位ピストンヘッドの遠位ＧＩ管内の圧力を検出するように構成された遠位圧力センサーを含む請求項１４６に記載の装置。
【請求項１５３】
遠位圧力センサーが、遠位ピストンヘッドの遠位に設置されている請求項１５２に記載の装置。
【請求項１５４】
遠位圧力センサーが、ＧＩ管の近位開口の近くに設置されている請求項１５２に記載の装置。
【請求項１５５】
遠位圧力センサーが、ＧＩ管の外側に設置されている請求項１５４に記載の装置。
【請求項１５６】
遠位ピストンヘッドの遠位ＧＩ管の近位部内に、第一測定可能圧力を検出するように構成された近位部圧力センサーを含む請求項１４６に記載の装置。
【請求項１５７】
遠位ピストンヘッドから遠位の圧力を検出するように構成された遠位圧力センサーを含む請求項１５６に記載の装置。
【請求項１５８】
近位部圧力センサーが、遠位ピストンヘッドの近くに設置されている請求項１５６に記載の装置。
【請求項１５９】
近位部圧力センサーがＧＩ管の近位開口の近くに設置されている請求項１５６に記載の装置。
【請求項１６０】
近位部圧力センサーが、ＧＩ管の外側に設置されている請求項１５９に記載の装置。
【請求項１６１】
遠位ピストンヘッド内の第二測定可能圧力を検出するように構成されたピストンヘッド圧力センサーを含む請求項１５９に記載の装置。
【請求項１６２】
圧力源がＧＩ管の近位部に第一付与圧力を付与するように構成された第一圧力源を含む装置であって、
遠位ピストンヘッドの内部に第二付与圧力を付与するように構成され多大２圧力源と、
第一圧力源が前記近位部に第一付与圧力を付与している間に、
第二圧力源を駆動して第二付与圧力を付与することによって、遠位ピストンヘッドの第二測定可能圧力を、ＧＩ管の近位部の測定可能圧力プラス正の値に等しくなるように調整して、
遠位ピストンヘッドをＧＩ管内で遠位に進行させるように構成された制御ユニットを含む装置。
【請求項１６３】
装置の作動に関連する第一圧力を測定するように構成された圧力センサーと、
前記圧力センサーの測定に応じて装置の作動に関連する第二圧力を調整するように構成された制御ユニットを含む請求項１４６に記載の装置。
【請求項１６４】
圧力センサーが、遠位ピストンヘッドから遠位の圧力と、遠位ピストンヘッドに近位の圧力と、遠位ピストンヘッド内の圧力からなるリストから選ばれた圧力を測定するように構成されている請求項１６３に記載の装置。
【請求項１６５】
制御ユニットが、圧力センサーで測定され多圧力を調整するように構成されている請求項１６３に記載の装置。
【請求項１６６】
制御ユニットが、圧力センサーによって測定される圧力以外の圧力を調整するように構成されている請求項１６３に記載の装置。
【請求項１６７】
遠位ピストンヘッドが、近位葉形部と遠位葉形部とを形成するように形成され、前記葉形部は相互に流体を介して連通する請求項１４６に記載の装置。
【請求項１６８】
第一葉形部の体積がこれに隣接するＧＩ管の収縮に応じて減少するように構成され、
第二葉形部の体積が、第一葉形部の体積が減少したとしても、これに隣接するＧＩ管の直径の変化が無い場合には一定に保たれるように構成され、
第一及び第二葉形部の内圧は、第一葉形部の体積の減少に無関係に定常状態に等しくなっている請求項１６７に記載の装置。
【請求項１６９】
遠位ピストンヘッドが、ＧＩ管を通じて進行する際に、１０〜６０ミリバールの膨脹圧力になるように構成されている請求項１４６に記載の装置。
【請求項１７０】
遠位ピストンヘッドが、膨脹圧力の３０〜１００％の流体圧力源からの圧力に応じて、ＧＩ管を通じて進行するように構成されている請求項１６９に記載の装置。
【請求項１７１】
遠位ピストンヘッドが、膨脹圧力の５０〜１００％の流体圧力源からの圧力に応じて、ＧＩ管を通じて進行するように構成されている請求項１７０に記載の装置。
【請求項１７２】
遠位ピストンヘッドが、ＧＩ管を通じて進行する際に、２０〜５０ミリバールの膨脹圧力になるように構成されている請求項１６９に記載の装置。
【請求項１７３】
遠位ピストンヘッドが、ＧＩ管を通じて進行する際に、３５〜４５ミリバールの膨脹圧力になるように構成されている請求項１７２に記載の装置。
【請求項１７４】
遠位ピストンヘッドが、膨脹圧力の３０〜１００％の流体圧力源からの圧力に応じて、ＧＩ管を通じて進行するように構成されている請求項１７３に記載の装置。
【請求項１７５】
遠位ピストンヘッドが、膨脹圧力の５０〜１００％の流体圧力源からの圧力に応じて、ＧＩ管を通じて進行するように構成されている請求項１７４に記載の装置。
【請求項１７６】
遠位ピストンヘッドが、膨脹圧力の５０〜８０％の流体圧力源からの圧力に応じて、ＧＩ管を通じて進行するように構成されている請求項１７５に記載の装置。
【請求項１７７】
遠位ピストンヘッドが、遠位に狭くなった部分を形成する形状を有し、遠位ピストンヘッドがＧＩ管に入っている場合に、前記遠位に狭くなった部分の先端が遠位方向を指向している請求項１４６に記載の装置。
【請求項１７８】
遠位に狭くなった部分に近位のベースが、遠位に狭くなった部分が通過するようになっているＧＩ管の少なくとも一部の直径よりも大きい特徴的な完全に膨脹した直径を有し、これによって、遠位に狭くなった部分のベースは、それがＧＩ管の当前記部分にある場合には完全には膨らまない請求項１７７に記載の装置。
【請求項１７９】
近位開口を有する体腔に使用される装置であって、
体腔の近位開口を介して挿入されるように構成された細長い担体と、
前記担体の遠位部に連結され、担体が体腔に挿入された後に、前記担体の遠位部の壁に対して圧力シールを形成するように構成された膨脹可能なピストンヘッドと、
ピストンヘッドに近位の体腔の近位部と流体を介して連通するように構成されて、体腔を通じて担体を遠位に進行させるのに充分な圧力を付与する、生物適合性流体の近位圧力源を含む装置。
【請求項１８０】
体腔が、胃腸（ＧＩ）管を含み、ピストンヘッドがＧＩ管の壁に対して圧力シールを形成するように構成されている請求項１７９に記載の装置。
【請求項１８１】
ＧＩ管が結腸を含み、ピストンヘッドが結腸の壁に対して圧力シールを形成するように構成されている請求項１８０に記載の装置。
【請求項１８２】
ピストンヘッドが、ＧＩ管の壁に直接接触するように構成されている請求項１８０に記載の装置。
【請求項１８３】
第一通路を含み、近位圧力源が、前記第一通路を介してＧＩ管の近位部と流体を介して連通する請求項１８０に記載の装置。
【請求項１８４】
ピストンヘッドと流体を介して連通し、ピストンヘッドに圧力を付与してピストンヘッドを膨脹させるように構成されたピストンの圧力源を含む請求項１７９〜１８３のいずれか１項に記載の装置。
【請求項１８５】
第二通路を含み、ピストンの圧力源は前記第二通路を介してピストンヘッドと流体を介して連通する請求項１８４に記載の装置。
【請求項１８６】
ＧＩ管の近位部の圧力を測定するように構成された近位部圧力センサーと、
ピストンヘッドの圧力を測定するように構成されたピストン圧力センサーを含む請求項１７９〜１８３のいずれか１項に記載の装置。
【請求項１８７】
ＧＩ管の近位部の圧力を測定するように構成されている近位部圧力センサーを含む請求項１７９〜１８３のいずれか１項に記載の装置。
【請求項１８８】
近位部圧力センサーが、ピストンヘッドの近くに設置されるように構成されている請求項１８７に記載の装置。
【請求項１８９】
近位部圧力センサーが、ＧＩ管の近位開口の近くに設置されるように構成されている請求項１８７に記載の装置。
【請求項１９０】
近位部圧力センサーが、ＧＩ管の外側に設置されるように構成されている請求項１８９に記載の装置。
【請求項１９１】
ピストンヘッドの圧力を測定するように構成されているピストンヘッド圧力センサーを含む請求項１７９〜１８３のいずれか１項に記載の装置。
【請求項１９２】
ピストンヘッド圧力センサーが、ピストンヘッドの内部に設置されるように構成されている請求項１９１に記載の装置。
【請求項１９３】
ピストンヘッド圧力センサーが、ＧＩ管の近位開口の近くに設置されるように構成されている請求項１９１に記載の装置。
【請求項１９４】
ピストン圧力センサーが、ＧＩ管の外側に設置されるように構成されている請求項１９３に記載の装置。
【請求項１９５】
ピストンヘッドの遠位ＧＩ管の遠位部と、ＧＩ管の外側とに流体を介して連通し、
流体を遠位部からＧＩ管の外に円滑に流通させることによって、ピストンヘッドの遠位への進行を促進するように構成された通気管を含む請求項１７９〜１８３のいずれか１項に記載の装置。
【請求項１９６】
ＧＩ管の遠位部の圧力を測定するように構成された遠位圧力センサーを含む請求項１９５に記載の装置。
【請求項１９７】
遠位圧力センサーが、ピストンヘッドの遠位に設置されるように構成されている請求項１９６に記載の装置。
【請求項１９８】
遠位圧力センサーが、ＧＩ管の近位開口の近くに設置されるように構成されている請求項１９６に記載の装置。
【請求項１９９】
遠位圧力センサーが、ＧＩ管の外側に設置されるように構成されている請求項１９８に記載の装置。
【請求項２００】
装置が、遠位部に１０ミリバールより低い圧力を維持するのに充分な量の流体を遠位部からＧＩ管の外に円滑の流通させるように構成されている請求項１９５に記載の装置。
【請求項２０１】
通気管が、流体を遠位部からＧＩ管の外に受動的に流通させるように構成されている請求項１９５に記載の装置。
【請求項２０２】
流体を遠位部からＧＩ管の外に能動的に流通させるように構成されている、通気管の連結された吸引源を含む請求項１９５に記載の装置。
【請求項２０３】
装置が、ピストンヘッドが遠位へ前進する場合に、毎分少なくとも１００ｃｃの流体を遠位部からＧＩ管の外に円滑に流通させるように構成されている請求項１９５に記載の装置。
【請求項２０４】
装置が、ピストンヘッドが遠位へ前進する場合に、毎分少なくとも３００ｃｃの流体を遠位部からＧＩ管の外に円滑に流通させるように構成されている請求項２０３に記載の装置。
【請求項２０５】
装置が、ピストンヘッドが遠位へ前進する場合に、１ｃｍ当たり少なくとも３ｃｃの流体を遠位部からＧＩ管の外に円滑に流通させるように構成されている請求項１９５に記載の装置。
【請求項２０６】
装置が、ピストンヘッドが遠位へ前進する場合に、１ｃｍ当たり少なくとも１０ｃｃの流体を遠位部からＧＩ管の外に円滑に流通させるように構成されている請求項２０５に記載の装置。
【請求項２０７】
近位開口を有する体腔に使用される装置であって、
体腔の近位開口を介して挿入されるように構成された細長い担体と、
担体の遠位部に連結され、担体が体腔に挿入された後に体腔の壁に対して圧力シールを形成するように構成された膨脹可能なピストンヘッドと、
ピストンヘッドに近位の体腔の近位部に流体を介して連通し、担体を体腔を介して遠位に進行させるのに充分な圧力を付与するように構成された生物適合性流体の近位圧力源と、
体腔の近位開口の近くに設置され、ピストンヘッドの内部と流体を介して連通し、ピストンヘッドの圧力を検出するように構成されたピストンヘッド圧力センサーを含む装置。
【請求項２０８】
体腔が胃腸（ＧＩ）管を含み、ピストンヘッドがＧＩ管の壁に対して圧力シールを形成するように構成されている請求項２０７に記載の装置。
【請求項２０９】
ＧＩ管が結腸を含み、ピストンヘッドが結腸の壁に対して圧力シールを形成するように構成されている請求項２０８に記載の装置。
【請求項２１０】
ピストンヘッドがＧＩ管の壁に直接接触するように構成されている請求項２０８に記載の装置。
【請求項２１１】
ピストンヘッド圧力センサーが、通路を介してピストンヘッドの内部と流体を介して連通し、前記通路の近位端はＧＩ管の近位開口の近くに設置されている請求項２０８に記載の装置。
【請求項２１２】
ピストンヘッド圧力センサーが、ＧＩ管の外側に設置されるように構成されている請求項２０８に記載の装置。
【請求項２１３】
通路を介してピストンヘッドの内部と流体を介して連通するように構成された生物適合性流体のピストンヘッド圧力センサーを含み、前記ピストンヘッド圧力センサーは前記通路を介してピストンヘッドの内部と流体を介して連通するように構成されている請求項２０８に記載の装置。
【請求項２１４】
ＧＩ管の近位部の圧力を検出するように、ＧＩ管の近位開口の近くに設置された近位部圧力センサーを含む請求項２０７〜２１３のいずれか１項に記載の装置。
【請求項２１５】
近位部圧力センサーが、ＧＩ管の外側に設置されている請求項２１４に記載の装置。
【請求項２１６】
ピストンヘッドから遠位のＧＩ管の遠位部の圧力を検出するように構成された遠位部圧力センサーが、ＧＩ管の近位開口の近くに設置されている請求項２０７〜２１３のいずれか１項に記載の装置。
【請求項２１７】
遠位部圧力センサーが、ＧＩ管の外側に設置されるように構成されている請求項２１６に記載の装置。
【請求項２１８】
ピストンヘッドと体腔との間に圧力シールを形成し、
ピストンヘッドの外面に流体の圧力を付与し、
ピストンヘッドの遠位の体腔内の部位から流体を体腔の外に円滑に流通させることによって、
ピストンヘッドを体腔を通じて遠位に進行させ、
ピストンヘッドの近くから無指向性側方観察を可能にすることを含む方法。
【請求項２１９】
体腔が胃腸（ＧＩ）管を含み、圧力シールを形成することが、ピストンヘッドとＧＩ管の壁との間に圧力シールを形成することを含む請求項２１８に記載の方法。
【請求項２２０】
ＧＩ管が結腸を含み、圧力シールを形成することが、ピストンヘッドと結腸の壁との間に圧力シールを形成することを含む請求項２１９に記載の方法。
【請求項２２１】
圧力シールを形成することが、ピストンヘッドをＧＩ管の壁に直接接触させるように置くことを含む請求項２１９に記載の方法。
【請求項２２２】
ピストンヘッドの近くから遠位の前方映像を提供することを含む請求項２１９に記載の方法。
【請求項２２３】
ＧＩ管の外に流体を円滑に流通させることが、通気管を通じて流体をＧＩ管の外に流通させることを含む請求項２１９に記載の方法。
【請求項２２４】
圧力シールを形成することが、ピストンヘッドを膨脹させることを含む請求項２１８〜２２３のいずれか１項に記載の方法。
【請求項２２５】
体腔の壁と、相互に流体を介して連通して近位葉形部と遠位葉形部を形成するように形成されたピストンヘッドとの間に圧力シールを形成し、
ピストンヘッドの外面に流体圧を付与することによって、ピストンヘッドを遠位に進行させることを含む方法。
【請求項２２６】
体腔が胃腸（ＧＩ）管を含み、圧力シールを形成することが、ＧＩ管の壁とピストンヘッドとの間に圧力シールを形成することを含む請求項２２５に記載の方法。
【請求項２２７】
ＧＩ管が結腸を含み、圧力シールを形成することがＧＩ管の壁と結腸との間に圧力シールを形成することを含む請求項２２６に記載の方法。
【請求項２２８】
圧力シールを形成することが、ピストンヘッドをＧＩ管の壁に直接接触させることを含む請求項２２６に記載の方法。
【請求項２２９】
ピストンヘッドを遠位に進行させることが、ピストンヘッドの近位葉形部及び遠位葉形部を通ってＧＩ管内の部位に開口している可撓性の通気管を介して、流体をピストンヘッドの遠位ＧＩ管内の部位からＧＩ管の外に円滑に流通させることを含む請求項２２５〜２２８のいずれか１項に記載の方法。
【請求項２３０】
遠位部に、親水性物質を外面に有するバルーンが連結された細長い担体を準備し、
体腔の近位開口を通じて細長い担体を挿入して、バルーンを体腔の壁に直接接触させることを含む方法。
【請求項２３１】
体腔が胃腸（ＧＩ）管を含み、細長い担体を挿入することが、ＧＩ管の近位開口を通じて細長い担体を挿入することを含む請求項２３０に記載の方法。
【請求項２３２】
ＧＩ管が結腸を含み、細長い担体を挿入することが、結腸の近位開口を通じて細長い担体を挿入することを含む請求項２３１に記載の方法。
【請求項２３３】
外面に体腔の壁に対する滑りを円滑にするのに適した低摩擦コーティングを有するバルーンであって、担体の遠位部に連結されたバルーンを有する細長い担体を準備し、
体腔の近位開口を通じて細長い担体を挿入し、バルーンの外面が体腔の壁に直接接触するようになすことを含む方法。
【請求項２３４】
体腔が胃腸（ＧＩ）管を含み、細長い担体を挿入することが、ＧＩ管の近位開口を通じて細長い担体を挿入することを含む請求項２３３に記載の方法。
【請求項２３５】
ＧＩ管が結腸を含み、細長い担体を挿入することが、結腸の近位開口を通じて細長い担体を挿入することを含む請求項２３４に記載の方法。
【請求項２３６】
２０ミクロンより大きくない特徴的な厚さを持ち、遠位部に連結されたバルーンを有する細長い担体を準備し、
体腔の近位開口を通じて細長い担体を挿入することを含む方法。
【請求項２３７】
体腔が胃腸（ＧＩ）管を含み、細長い担体を挿入することが、ＧＩ管の近位開口を通じて細長い担体を挿入することを含む請求項２３６に記載の方法。
【請求項２３８】
ＧＩ管が結腸を含み、細長い担体を挿入することが、結腸の近位開口を通じて細長い担体を挿入することを含む請求項２３７に記載の方法。
【請求項２３９】
ピストンヘッドと体腔の壁との間に圧力シールを形成し、
ピストンヘッドの外面に流体圧を付与して、ピストンヘッドを体腔を通じて近位へ引っ張ることを含む方法。
【請求項２４０】
体腔が胃腸（ＧＩ）管を含み、圧力シールを形成することが、ピストンヘッドとＧＩ管の壁との間に圧力シールを形成することを含む請求項２３９に記載の方法。
【請求項２４１】
ＧＩ管が結腸を含み、圧力シールを形成することが、ピストンヘッドと結腸の壁との間に圧力シールを形成することを含む請求項２４０に記載の方法。
【請求項２４２】
圧力シールを形成することが、ピストンヘッドをＧＩ管の壁に直接接触させるように置くことを含む請求項２４０に記載の方法。
【請求項２４３】
ピストンヘッドに近位のＧＩ管内の近位部位から、流体をＧＩ管の外に円滑に流通させることを含む請求項２４０に記載の方法。
【請求項２４４】
圧力シールを形成することが、ピストンヘッドを膨脹させることを含む請求項２３９〜２４３のいずれか１項に記載の方法。
【請求項２４５】
環状のバルーンを体腔の近位開口に少なくとも部分的に挿入し、
バルーンを膨脹させて、前記近位開口の近くでバルーンと体腔の壁との間にシールを形成し、
バルーンを貫通する開口を通じて細長い担体を体腔に挿入し、
バルーンの遠位の体腔の内部に圧力を付与することを含む方法。
【請求項２４６】
体腔が結腸を含み、
近位開口が直腸を含み、
バルーンを挿入することが、バルーンを少なくとも部分的に直腸に挿入することを含み、
バルーンを膨脹させることが、バルーンを膨脹させて、バルーンと結腸の壁との間に圧力シールを形成することを含む請求項２４５に記載の方法。
【請求項２４７】
バルーンを膨脹させることが、注射器を使用してバルーンの内部に圧力を付与することを含む請求項２４６に記載の方法。
【請求項２４８】
体腔の近位開口に膨脹可能なカフを少なくとも部分的に挿入し、
カフを膨脹させて、近位開口の近くで体腔の壁に対して圧力シールを形成し、
カフを貫通する開口を通じて細長い担体を体腔に挿入することを含む方法。
【請求項２４９】
体腔が結腸を含み、近位開口が直腸を含み、カフを膨脹させることが、カフを膨脹させて直腸の近くで結腸の壁に対してシールを形成することを含む請求項２４８に記載の方法。
【請求項２５０】
体腔の近位開口を通じて、担体の遠位端の近くに固定された映像捕捉装置を有する細長い担体を挿入し、
前記担体の遠位端の一つ以上の開口から、映像捕捉装置の少なくとも一部に流体をスプレーすることを含む方法。
【請求項２５１】
体腔が結腸を含み、担体を挿入することが、結腸の近位開口を通じて担体を挿入することを含む請求項２５０に記載の方法。
【請求項２５２】
体腔の近位開口を通じて、映像捕捉装置が担体の遠位端の第一の近傍に固定された細長い担体を挿入して全方向の側面映像を提供し、
遠位端の第二の近傍において担体の直径を増加して、映像捕捉装置の無指向性結像を可能にするのに充分な程度の体腔からの距離に映像捕捉装置を位置決めすることを含む方法。
【請求項２５３】
体腔が胃腸（ＧＩ）管を含み、担体を挿入するすることが、ＧＩ管の近位開口を通じて担体を挿入することを含む請求項２５２に記載の方法。
【請求項２５４】
直径を増加することが、第二近傍において担体の直径を増加して、映像捕捉装置が壁から少なくとも１５ｍｍ離れるようにすることを含む請求項２５３に記載の方法。
【請求項２５５】
ＧＩ管が結腸を含み、担体を挿入することが、結腸の近位開口を通じて担体を挿入することを含む請求項２５２〜２５４のいずれか１項に記載の方法。
【請求項２５６】
直径を増加することが、第二近傍において担体の直径を３０〜４５ｍｍに増加することを含む請求項２５５に記載の方法。
【請求項２５７】
膨脹可能なピストンヘッドと体腔の壁との間に圧力シールを形成し、
ピストンヘッドに近位の体腔の近位部において第一測定可能圧力を測定し、
体腔の近位部に第一付与圧力を付与し、
第二付与圧力をピストンヘッドに付与することによって、ピストンヘッドの第二測定可能圧力を、体腔の近位部の第一測定可能圧力プラス正の値に等しくなるように調整して、
体腔を通じてピストンヘッドを遠位に進行させることを含む方法。
【請求項２５８】
体腔が胃腸（ＧＩ）管を含み、圧力シールを形成することが、ピストンヘッドとＧＩ管の壁との間に圧力シールを形成することを含む請求項２５７に記載の方法。
【請求項２５９】
ＧＩ管が結腸を含み、圧力シールを形成することが、ピストンヘッドと結腸の壁との間に圧力シールを形成することを含む請求項２５８に記載の方法。
【請求項２６０】
圧力シールを形成することが、ピストンヘッドをＧＩ管の壁の直接接触させて置くことを含む請求項２５８に記載の方法。
【請求項２６１】
流体をピストンヘッドから遠位のＧＩ管の部分からＧＩ管の外に流通させることを含む請求項２５８に記載の方法。
【請求項２６２】
正の値が１〜５ミリバールである請求項２５７〜２６１のいずれか１項に記載の方法。
【請求項２６３】
正の値が１．５〜２．５ミリバールである請求項２６２に記載の方法。
【請求項２６４】
第二測定可能圧力を調整することが、ピストンヘッドの第二測定可能圧力を、第一付与圧力の付与に先立って初期値に設定することを含む請求項２５７〜２６１のいずれか１項に記載の方法。
【請求項２６５】
初期値が５〜１５ミリバールであり、第二測定可能圧力を設定することが、第二測定可能圧力を５〜１５ミリバールに設定することを含む請求項２６４に記載の方法。
【請求項２６６】
第二測定可能圧力を調整することが、第二測定可能圧力を、（a）初期値及び（ｂ）第一測定可能圧力プラス正の値の大きい方に等しくなるように調整することを含む請求項２６４に記載の方法。
【請求項２６７】
遠位ピストンヘッドと体腔の壁との間に圧力シールを形成し、
遠位ピストンヘッドの外面に流体圧力を付与して、ピストンヘッドを体腔を通じて遠位へ進行させることを含む方法。
【請求項２６８】
体腔が胃腸（ＧＩ）管を含み、圧力シールを形成することが、遠位ピストンヘッドとＧＩ管の壁との間に圧力シールを形成することを含む請求項２６７に記載の方法。
【請求項２６９】
ＧＩ管が結腸を含み、圧力シールを形成することが、遠位ピストンヘッドと結腸の壁との間に圧力シールを形成することを含む請求項２６８に記載の方法。
【請求項２７０】
圧力シールを形成することが、遠位ピストンヘッドをＧＩ管の壁に直接接触するように置くことを含む請求項２６８に記載の方法。
【請求項２７１】
流体を遠位ピストンヘッドから遠位のＧＩ管内の遠位部位からＧＩ管の外に円滑に流通させることによって、遠位ピストンヘッドを遠位に進行させることを含む請求項２６７〜２７０のいずれか１項に記載の方法。
【請求項２７２】
流体を円滑に流通させることが、遠位部位において１０ミリバールより低い圧力を維持するのに充分な量の流体を遠位部位からＧＩ管の外に円滑に流通させることを含む請求項２７１に記載の方法。
【請求項２７３】
流体を円滑に流通させることが、遠位ピストンヘッドが遠位へ進行する間に毎分少なくとも１００ｃｃの流体を遠位部位からＧＩ管の外に円滑に流通させることを含む請求項２７１に記載の方法。
【請求項２７４】
流体を円滑に流通させることが、遠位ピストンヘッドが遠位へ進行する間に毎分少なくとも３００ｃｃの流体を遠位部位からＧＩ管の外に円滑に流通させることを含む請求項２７３に記載の方法。
【請求項２７５】
流体を円滑に流通させることが、遠位ピストンヘッドが遠位へ進行する間に１ｃｍ当たり少なくとも３ｃｃの流体を遠位部位からＧＩ管の外に円滑に流通させることを含む請求項２７１に記載の方法。
【請求項２７６】
流体を円滑に流通させることが、遠位ピストンヘッドが遠位へ進行する間に１ｃｍ当たり少なくとも１０ｃｃの流体を遠位部位からＧＩ管の外に円滑に流通させることを含む請求項２７５に記載の方法。
【請求項２７７】
流体を円滑に流通させることが、流体をＧＩ管内の遠位部位から通気管を介してＧＩ管の外に円滑に流通させることを含む請求項２７１に記載の方法。
【請求項２７８】
流体を円滑に流通させることが、ＧＩ管の内部の遠位部位からＧＩ管の外に受動的に流通させることを含む請求項２７７に記載の方法。
【請求項２７９】
流体を円滑に流通させることが、通気管の近位端を吸引することによって、流体をＧＩ管内の遠位部位から通気管を介してＧＩ管の外に能動的に円滑に流通させることを含む請求項２７７に記載の方法。
【請求項２８０】
能動的に円滑に流体を流通させることが、遠位ピストンヘッドから遠位の圧力を、−５〜プラス５ミリバールに調整することを含む請求項２７９に記載の方法。
【請求項２８１】
圧力シールを形成することが遠位ピストンヘッドを膨脹させることを含み、流体を円滑に流通させることが、ＧＩ管において遠位ピストンヘッドを少なくとも部分的に間欠的の収縮させることを含む請求項２７１に記載の方法。
【請求項２８２】
圧力シールを形成することが遠位ピストンヘッドを膨脹させることを含む請求項２６７〜２７０のいずれか１項に記載の方法。
【請求項２８３】
遠位ピストンヘッドに近位の位置において、補助ピスとヘッドとＧＩ管の壁との間に、前記補助ピストンヘッドを膨脹させることによって補助の圧力シールを形成することを含む請求項２８２に記載の方法。
【請求項２８４】
遠位ピストンヘッドを膨脹させることが、遠位ピストンヘッドの内部圧力を検出することを含む請求項２８２に記載の方法。
【請求項２８５】
遠位ピストンヘッドの遠位ＧＩ管の内部圧力を検出することを含む請求項２８２に記載の方法。
【請求項２８６】
遠位ピストンヘッドを膨脹させることが、ＧＩ管を通じて進行している際に、遠位ピストンヘッドを１０〜６０ミリバールまで膨脹させることを含む請求項２８２に記載の方法。
【請求項２８７】
遠位ピストンヘッドに近位のＧＩ管の近位部内で、第一測定可能圧力を検出することを含む請求項２８２に記載の方法。
【請求項２８８】
遠位ピストンヘッドから遠位の圧力を検出することを含む請求項２８７に記載の方法。
【請求項２８９】
遠位ピストンヘッドを膨脹させることが、遠位にピストンヘッド内の第二測定可能圧力を検出することを含む請求項２８７に記載の方法。
【請求項２９０】
流体圧力を付与することが、ＧＩ管の近位部に第一付与圧力を付与することを含み、
遠位ピストンヘッドを膨脹させることが、遠位ピストンヘッドの内部に第二付与圧力を付与することを含み、
流体圧力を付与することが、
前記近位部に第一付与圧力を付与しながら、第二付与圧力を付与して、遠位ピストンヘッドの第二測定可能圧力をＧＩ管の近位部の第一測定可能圧力プラス正の値に等しくなるように調整することによって、
遠位ピストンヘッドをＧＩ管内を遠位方向に進行させることを含む請求項２８９に記載の方法。
【請求項２９１】
ピストンヘッドと体腔の壁との間に圧力シールを形成し、
遠位ピストンヘッドの外面に流体圧力を付与して、体腔を通じてピストンヘッドを遠位に進行させ、
体腔の近位開口の近くで、ピストンヘッド内の圧力を検出することを含む方法。
【請求項２９２】
体腔が胃腸（ＧＩ）管を含み、圧力シールを形成することが、ピストンヘッドとＧＩ管の壁との間に圧力シールを形成することを含む請求項２９１に記載の方法。
【請求項２９３】
ＧＩ管が結腸を含み、圧力シールを形成することが、ピストンヘッドと結腸の壁との間に圧力シールを形成することを含む請求項２９２に記載の方法。
【請求項２９４】
圧力シールを形成することが、ピストンヘッドをＧＩ管の壁に直接接触するように置くことを含む請求項２９２に記載の方法。
【請求項２９５】
ピストンの圧力を検出することが、ピストンヘッドの内部と流体を介して連通する通路を介して、前記通路の近位端がＧＩ管の近位開口の近くに設置されている場合に、ピストンヘッドの圧力を検出することを含む請求項２９２に記載の方法。
【請求項２９６】
ピストンの圧力を検出することが、ＧＩ管の外側からピストンヘッドの圧力を検出することを含む請求項２９２に記載の方法。
【請求項２９７】
ピストンの圧力を検出することが、通路を介してピストンヘッドの圧力を検出し、前記通路を介してピストンヘッドの内部に流体圧力を付与することを含む請求項２９２に記載の方法。
【請求項２９８】
ＧＩ管の近位開口の近くで、ＧＩ管の近位部の圧力を検出する請求項２９１〜２９７のいずれか１項に記載の方法。
【請求項２９９】
近位部の圧力を検出することが、ＧＩ管の外側から近位部の圧力を検出することを含む請求項２９８に記載の方法。
【請求項３００】
ＧＩ管に近位開口の近くで、ピストンヘッドの遠位ＧＩ管の遠位部の圧力を検出することを含む請求項２９１〜２９７のいずれか１項に記載の方法。
【請求項３０１】
遠位部の圧力を検出することが、ＧＩ管の外側から遠位部の圧力を検出することを含む請求項３００に記載の方法。
【請求項３０２】
生物適合性流体の圧力源と共に使用される装置であって、
体腔の近位開口を介して挿入されるように構成された細長い担体と、
前記担体の遠位部に連結された遠位ピストンヘッドを含み、
前記ピストンヘッドは、担体が体腔に挿入されると体腔の壁に直接接触し、
流体圧力源からの圧力に応じて体腔を通って遠位に進行し、
流体をピストンヘッドの遠位の体腔の内部の部位から体腔の外に円滑に流通させるように構成されている装置。
【請求項３０３】
体腔の壁に接触しているピストンヘッドの外面は、体腔の壁に対するピストンヘッドの滑りを円滑にするのに適した低摩擦コーティングを含む請求項３０２に記載の装置。
【請求項３０４】
体腔が胃腸（ＧＩ）管を含み、担体がＧＩ管に挿入されると、ピストンヘッドがＧＩ管の壁に直接接触するように構成されている請求項３０２〜３０３のいずれか１項に記載の装置。
【請求項３０５】
ＧＩ管が結腸を含み、担体が結腸に挿入されると、ピストンヘッドが結腸の壁に直接接触するように構成されている請求項３０４に記載の装置。
【請求項３０６】
通気管を含み、ピストンヘッドが、前記通気管を介して流体の体腔からの流通を円滑にするように構成されている請求項３０５に記載の装置。
【請求項３０７】
通気管が１〜３ｍｍの内径を形成するように形成された請求項３０６に記載の装置。
【請求項３０８】
通気管が体腔からの流体の流通を受動的に可能にするように構成されている請求項３０６に記載の装置。
【請求項３０９】
通気管が吸引源に連結され、それによって体腔からの流体の流通を能動的に可能にするように構成されている請求項３０６に記載の装置。
【請求項３１０】
通気管が吸引源に連結され、装置が作動する際に、ピストンヘッドから遠位の圧力が−５〜プラス５ミリバールになるように構成されている請求項３０９に記載の装置。
【請求項３１１】
ピストンヘッドが、膨脹して結腸の壁に直接接触して維持するように構成されている請求項３０５に記載の装置。
【請求項３１２】
装置が、遠位ピストンヘッドに近位の位置で担体に連結された補助ピストンヘッドを含み、
前記補助ピストンヘッドは膨脹して結腸の壁に直接接触して維持されるように構成され、
（a）担体が体腔内にある間に、少なくとも一回、遠位ピストンヘッドは、流体圧力源からの圧力に応じて、補助ピストンヘッドが膨脹して結腸を通って遠位へ前進するのと同時に、少なくとも部分的に収縮した状態になるように構成され、
（b）担体が体腔内にある間に、少なくとももう一回、補助ピストンが、流体圧力源からの圧力に応じて、遠位ピストンヘッドが膨脹して結腸を通って遠位へ前進するのと同時に、少なくとも部分的に収縮した状態になるように構成されている請求項３１１に記載の装置。
【請求項３１３】
ピストンヘッドが結腸にある間に、ピストンヘッドが少なくとも部分的に間欠的に収縮し、それによって流体がピストンヘッドの遠位へ体腔内の部位から体腔の外に円滑に流通するように構成されている請求項３１１に記載の装置。
【請求項３１４】
装置が、ピストンヘッド内の圧力を検出するピストンヘッド圧力センサーを含む請求項３１１に委細の装置。
【請求項３１５】
装置が、ピストンヘッドの遠位の結腸内の圧力を検出するように構成された遠位圧力センサーを含む請求項３１１に記載の装置。
【請求項３１６】
装置が、ピストンヘッドに近位の結腸内の圧力を検出するように構成された近位部圧力センサーを含む請求項３１１に記載の装置。
【請求項３１７】
装置が、ピストンヘッド内の圧力を検出するように構成されたピストンヘッド圧力センサーを含む請求項３１６に記載の装置。
【請求項３１８】
装置が、ピストンヘッドから遠位の圧力を検出するように構成された遠位圧力センサーを含む請求項３１６に記載の装置。
【請求項３１９】
装置が、装置の作用と連携する第一圧力を測定するように構成された圧力センサーと、
前記圧力センサーの測定に応じて、装置の作用と連携する第二圧力を調整するように腔請求項された制御ユニットを含む請求項３１１に記載の装置。
【請求項３２０】
圧力センサーが、ピストンヘッドから遠位の圧力、ピストンヘッドに近位の圧力、及びピストンヘッド内の圧力からなるリストから選ばれた圧力を検出するように構成されている請求項３１９に記載の装置。
【請求項３２１】
制御ユニットが、圧力センサーで測定された圧力を調整するように構成されている請求項３１９に記載の装置。
【請求項３２２】
制御ユニットが、圧力センサーで測定された以外の圧力を調整するように構成されている請求項３１９に記載の装置。
【請求項３２３】
ピストンヘッドが、近位葉形部と遠位葉形部を形成するように形成され、これらの葉形部は相互に流体を介して連通する請求項３１１に記載の装置。
【請求項３２４】
第一葉形部の体積は、これに隣接する結腸の収縮に応じて減少するように構成され、
第二葉形部の体積は、第一葉形部の体積が減少しても、これに隣接する結腸の直径の変化が無ければ一定に保たれ、
第一及び第二葉形部の内圧は、第一葉形部の体積の減少には無関係に定常状態で等しい請求項３２３に記載の装置。
【請求項３２５】
ピストンヘッドは、結腸を前進するときに１０〜６０ミリバールの膨脹圧力になるように構成されている請求項３１１に記載の装置。
【請求項３２６】
ピストンヘッドは、流体圧力源からの膨脹圧力の３０〜１００％の圧力に応じて、結腸を通って進行するように構成されている請求項３２５に記載の装置。
【請求項３２７】
ピストンヘッドは、流体圧力源からの膨脹圧力の５０〜１００％の圧力に応じて、結腸を通って進行するように構成されている請求項３２６に記載の装置。
【請求項３２８】
結腸を通って進行する際に、ピストンヘッドは２０〜５０ミリバールの膨脹圧力になるように構成されている請求項３２５に記載の装置。
【請求項３２９】
結腸を通って進行している際に、ピストンヘッドは３０〜４５ミリバールの膨脹圧力になるように構成されている請求項３２８に記載の装置。
【請求項３３０】
ピストンヘッドは、流体圧力源からの膨脹圧力の３０〜１００％の圧力に応じて、結腸を通って進行するように構成されている請求項３２９に記載の装置。
【請求項３３１】
ピストンヘッドは、流体圧力源からの膨脹圧力の５０〜１００％の圧力に応じて、結腸を通って進行するように構成されている請求項３３０に記載の装置。
【請求項３３２】
ピストンヘッドは、流体圧力源からの膨脹圧力の５０〜８０％の圧力に応じて、結腸を通って進行するように構成されている請求項３３１に記載の装置。
【請求項３３３】
ピストンヘッドは遠位に狭くなった部分を形成するように形成され、ピストンヘッドが結腸内にあるときに、前記遠位に狭くなった部分の先端が遠位方向を向くように結腸に挿入される請求項３１１に記載の装置。
【請求項３３４】
遠位に狭くなった部分の近位端側のベースは、前記遠位に狭くなった部分が通過する結腸の少なくとも一部の直径よりも大きい特徴的な完全膨脹直径を有し、これによって遠位に狭くなった部分のベースは、前記ベースが結腸のその部分にある場合には、完全には膨らまない請求項３３３に記載の装置。
【請求項３３５】
遠位ピストンヘッドを体腔の壁に直接接触させて置き、
遠位ピストンヘッドに流体圧力を付与して、ピストンヘッドを体腔を介して遠位方向に進行させ、
ピストンヘッドの遠位の体腔内の部位から流体を体腔の外に円滑に流通させることを含む方法。
【請求項３３６】
体腔の壁と接触するピストンヘッドの外面に低摩擦コーティングを付与することを含み、前記低摩擦コーティングは体腔の壁に対するピストンヘッドの滑りを円滑にするのに適している請求項３３５に記載の方法。
【請求項３３７】
体腔が胃腸（ＧＩ）管を含み、ピストンヘッドを置くことが、ピストンヘッドをＧＩ管の壁に直接接触させて置くことを含む請求項３３５〜３３６のいずれか１項に記載の方法。
【請求項３３８】
ＧＩ管が結腸を含み、ピストンヘッドを置くことが、ピストンヘッドを結腸の壁に直接接触させて置くことを含む請求項３３７に記載の方法。
【請求項３３９】
流体を円滑に流通させることが、ピストンヘッドの遠位部位から体腔の外側の部位まで延びている通気管を通じて、流体を円滑に体腔の外へ流通させることを含む請求項３３８に記載の方法。
【請求項３４０】
流体を円滑に流通させることが、通気管を通じて流体を体腔の外に受動的に流通させることを含む請求項３３９に記載の方法。
【請求項３４１】
流体を円滑に流通させることが、流体を体腔から能動的に除去ことを含む請求項３３９に記載の方法。
【請求項３４２】
流体を能動的に除去することが、ピストンヘッドから遠位部位に−５〜プラス１５ミリバールの圧力を付与することを含む請求項３４１に記載の方法。
【請求項３４３】
ピストンヘッドを壁に直接接触させて置くことが、ピストンヘッドを結腸の壁に直接接触させて維持するのに充分な程度まで膨脹させることを含む請求項３３８に記載の方法。
【請求項３４４】
補助のピストンヘッドを遠位ピストンヘッドの近位に置き、
結腸の壁に直接接触して、接触を維持するのに充分な程度に補助のピストンヘッドを膨脹させ、
体腔に遠位ピストンヘッドが入っている間に少なくとも一回、遠位ピストンヘッドを少なくとも部分的に収縮させ、遠位ピストンヘッドが少なくとも部分的に収縮した状態にある遠位ピストンヘッド後収縮時期において、付与された流体圧力に応じて補助ピストンヘッドが膨脹して結腸を通って進行するようにし、
体腔に遠位ピストンヘッドが入っている間に少なくとも一回、補助ピストンヘッドを少なくとも部分的に収縮させ、補助ピストンヘッドが少なくとも部分的に収縮した状態にある補助ピストンヘッド後収縮時期において、付与された流体圧力に応じて遠位ピストンヘッドが膨脹して結腸を通って進行するようにすることを含む請求項３４３に記載の方法。
【請求項３４５】
流体を体腔の外に円滑に流通させることが、ピストンヘッドを少なくとも部分的に間欠的に収縮させることを含む請求項３４３に記載の方法。
【請求項３４６】
ピストンヘッド内の圧力を検出することを含む請求項３４３に記載の方法。
【請求項３４７】
ピストンヘッドから遠位にある結腸内の圧力を検出することを含む請求項３４３に記載の方法。
【請求項３４８】
ピスとヘッドに近位にある結腸内の圧力を検出することを含む請求項３４３に記載の方法。
【請求項３４９】
ピストンヘッド内の圧力を検出することを含む請求項３４８に記載の方法。
【請求項３５０】
ピストンヘッドから遠位にある圧力を検出することを含む請求項３４８に記載の方法。
【請求項３５１】
第一圧力を検出し、
前記第一圧力の検出に応じて、方法の実行に関連する第二圧力を調整することを含む請求項３４８に記載の方法。
【請求項３５２】
第一圧力を検出することが、ピストンヘッドから遠位の圧力と、ピストンヘッドに近位の圧力と、ピストンヘッド内の圧力からなるリストから選ばれた圧力を検出することを含む請求項３５１に記載の方法。
【請求項３５３】
第二圧力を調整することが、第一圧力を調整することを含む請求項３５１に記載の方法。
【請求項３５４】
第二圧力を調整することが、第一圧力の調整を含まない請求項３５１に記載の方法。
【請求項３５５】
ピストンヘッドを膨脹させることが、１０〜６０ミリバールの膨脹圧力でピストンヘッドを膨脹させることを含む請求項３４３に記載の方法。
【請求項３５６】
流体圧力を付与することが、流体圧力を膨脹圧力の３０〜１００％に設定することを含む請求項３５５に記載の方法。
【請求項３５７】
流体圧力を付与することが、流体圧力を膨脹圧力の５０〜１００％に設定することを含む請求項３５６に記載の方法。
【請求項３５８】
ピストンヘッドを膨脹させることが、２０〜５０ミリバールの膨脹圧力でピスとヘッドを膨脹させることを含む請求項３５５に記載の方法。
【請求項３５９】
ピストンヘッドを膨脹させることが、３０〜４５ミリバールの膨脹圧力でピスとヘッドを膨脹させることを含む請求項３５８に記載の方法。
【請求項３６０】
流体圧力を付与することが、流体圧力を膨脹圧力の３０〜１００％に設定することを含む請求項３５９に記載の方法。
【請求項３６１】
流体圧力を付与することが、流体圧力を膨脹圧力の５０〜１００％に設定することを含む請求項３６０に記載の方法。
【請求項３６２】
流体圧力を付与することが、流体圧力を膨脹圧力の５０〜８０％に設定することを含む請求項３６０に記載の方法。
【請求項３６３】
体腔の近位開口に少なくとも部分的に挿入可能で、流体圧力源に連結可能な第一通路を含むガイド部材と、
前記ガイド部材を通じてスライドするように設置された細長い担体と、
前記担体に装着されたピストンヘッドを含むシステムであって、前記ピストンヘッドの遠位側よりも近位側に大きい流体圧力が作用すると、ピストンヘッドと担体が体腔を遠位方向に進行するシステム。
【請求項３６４】
ピストンヘッドが膨脹可能である請求項３６３に記載のシステム。
【請求項３６５】
担体が、ピストンヘッドと流体を介して連通し、ピストンヘッドを膨脹させる流体圧力源に連結可能である第二通路を含む請求項３６４に記載のシステム。
【請求項３６６】
ピストンヘッドを貫通し、ピストンヘッドの遠位に開口を有し、それを通じて流体が外側に出ることができる通気管を更に含む請求項３６３に記載のシステム。
【請求項３６７】
担体に装着された映像捕捉装置を更に含む請求項３６３〜３６６のいずれか１項に記載のシステム。
【請求項３６８】
映像捕捉装置がピストンヘッドに対して遠位にある請求項３６７に記載のシステム。
【請求項３６９】
担体を貫通し、映像捕捉装置に連結された動力供給管を更に含む請求項３６７に記載のシステム。
【請求項３７０】
担体を貫通し、流体源に連結可能な流体供給管を更に含む請求項３６３〜３６６のいずれか１項に記載のシステム。
【請求項３７１】
前記ピストンヘッドに近位の担体に装着された補助ピストンヘッドを更に含む請求項３６３〜３６６のいずれか１項に記載のシステム。
【請求項３７２】
補助ピストンヘッドが、前記ピストンヘッドから一定の距離に担体の軸方向に固定されている請求項３７１に記載のシステム。
【請求項３７３】
補助ピストンヘッドが膨脹可能である請求項３７１に記載のシステム。
【請求項３７４】
担体が、補助ピストンヘッドと流体を介して連通した、補助ピストンヘッドを膨脹させるための流体圧力源に連結可能な第三の通路を含む請求項３７３に記載のシステム。
【請求項３７５】
前記担体の遠位部に連結できるように構成された用具を含む請求項５７に記載の装置。
【請求項３７６】
前記用具はバイオプシー用具を含む請求項３７５に記載の装置。
【請求項３７７】
前記ピストンヘッドは、前記担体をＧＩ管へ挿入後に、ＧＩ管の壁に直接接触するように構成されている請求項５８に記載の装置。
【請求項３７８】
前記担体の遠位部に連結できるように構成された用具を含む請求項１２５に記載の装置。
【請求項３７９】
前記用具はバイオプシー用具を含む請求項３７８に記載の装置。
【請求項３８０】
前記ピストンヘッドは、前記担体をＧＩ管へ挿入後に、ＧＩ管の壁に直接接触するように構成されている請求項１２６に記載の装置。
【請求項３８１】
生物適合性流体圧力源と共に使用するための装置であって、
体腔の近位開口を介して挿入されるように構成された細長い担体、および
前記担体の遠位部に連結された膨脹可能なヘッド部を含み、
前記膨脹可能なヘッド部は、
前記担体が体腔に挿入された後、体腔の壁と接触し、かつ
前記膨脹可能なヘッド部の外遠位面に加わる流体圧力源からの圧力に応じて体腔を通じて近位へ引き出されるように構成されている、装置。
【請求項３８２】
生物適合性流体圧力源と共に使用するための装置であって、
体腔の近位開口を介して挿入されるように構成された細長い担体、および
前記担体の遠位部に連結された膨脹可能なヘッド部を含み、
膨脹可能なヘッド部は、
前記担体が体腔に挿入された後、体腔の壁と接触し、かつ
前記膨脹可能なヘッド部の外近位面に加わる流体圧力源からの圧力に応じて体腔を通じて遠位へ進行するように構成されている、装置。